(57)【要約】【課題】  特定操作を契機として電子メールを自動送信する機能を備える携帯電話において、電子メールの送信機能の起動および送信結果をユーザが画面を目視することなく認識可能にする。【解決手段】  携帯電話の待ち受け状態（１）において、サイドキーを長押し操作したときに、予め登録された電子メールを送信するクイックメール機能が起動するとともに、バイブレータが０．５秒間振動し（２）、クイックメールの起動がユーザに報知される。さらに、クイックメールの送信に失敗したときには、バイブレータが１．０秒間振動することにより（３）、メール送信の失敗がユーザに通知される。【選択図】        図７
2006005863.tif 000002
【特許請求の範囲】
【請求項１】
バイブレータと、
電子メールを記憶するメール記憶手段と、
該メール記憶手段に記憶されている電子メールを送信するための操作手段と、
該操作手段が操作されたときに、前記メール記憶手段に記憶されている電子メールを送信するためのメール処理を実行するメール処理手段と、
該メール処理手段が前記メール処理を開始したときに、前記バイブレータを駆動する第１駆動手段と、
前記メール処理手段が前記メール記憶手段に記憶された電子メールを送信できなかったときに、前記第１駆動手段による前記バイブレータの駆動後、前記バイブレータを駆動する第２駆動手段とを備えることを特徴とする、携帯通信端末。
【請求項２】
前記第１駆動手段および前記第２駆動手段が前記バイブレータの駆動に用いる駆動パターンを含む複数種類の駆動パターンを記憶する駆動パターン記憶手段をさらに備え、
前記第１駆動手段が用いる前記バイブレータの駆動パターンと前記第２駆動手段が用いる前記バイブレータの駆動パターンとは異なり、かつ、両駆動パターンは、前記駆動パターン記憶手段に記憶されている他の駆動パターンのいずれとも異なることを特徴とする、請求項１に記載の携帯通信端末。
【請求項３】
受信電波に基づいて取得した前記携帯通信端末の位置情報を記憶する位置情報記憶手段と、
該位置情報記憶手段が記憶している位置情報を前記電子メールに付加する位置情報付加手段とをさらに備え、
前記メール処理手段は、前記位置情報付加手段が前記位置情報を付加した電子メールを送信することを特徴とする、請求項１または請求項２に記載の携帯通信端末。
【請求項４】
受信電波に基づいて取得した前記携帯通信端末の位置情報を記憶する位置情報記憶手段と、
前記位置情報に関連付けて所定の付随情報を記憶する付随情報記憶手段とをさらに備え、
前記メール処理手段は、前記位置情報に関連付けられた前記付随情報を付加した電子メールを送信することを特徴とする、請求項１または請求項２に記載の携帯通信端末。
【請求項５】
通信圏内であるか否かを判定する判定手段をさらに備え、
前記メール処理手段は、前記判定手段が通信圏内でないと判定したときには、前記電信メールの送信を予約するための予約領域に所定の予約データを格納し、
通信圏外から通信圏内になったときに前記予約領域に格納されている予約データに基づいて前記電子メールを自動的に送信する予約メール送信手段をさらに備えることを特徴とする、請求項１〜請求項４のいずれかに記載の携帯通信端末。
【請求項６】
前記メール処理手段は、前記予約領域に既に前記予約データが格納されている電子メールについては、重複して電子メールの送信を予約しないことを特徴とする、請求項５に記載の携帯通信端末。
【請求項７】
第１の筐体と、
該第１の筐体に対して折り畳み可能な第２の筐体とをさらに備え、
前記メール処理手段は、前記第１の筐体に対して前記第２の筐体が折り畳まれた状態になっていることを条件として、前記操作手段の操作に応答した前記メール処理を開始することを特徴とする、請求項１〜請求項６のいずれかに記載の携帯通信端末。
【請求項８】
前記メール処理手段による前記電子メールの送信を一定期間待機させる待機手段と、
前記メール処理を停止させる停止操作を検出する停止操作検出手段と、
前記一定期間経過前に前記停止操作検出手段によって前記停止操作が検出されたときに前記メール処理を停止させる停止手段とをさらに備えることを特徴とする、請求項１〜請求項７のいずれかに記載の携帯通信端末。
【発明の詳細な説明】
【技術分野】
【０００１】
本発明は、携帯通信端末に関し、特に、電子メールの送信機能を備える携帯通信端末に関する。
【背景技術】
【０００２】
携帯電話、ＰＤＡ（Personal Digital Assistant）その他の携帯通信端末に関して、特開２００４−６２３２０号公報（特許文献１）には、充電器への脱着などを契機として、予め設定しておいた電子メールを予め設定しておいた送信先へ送信する技術が開示されている。
【０００３】
また、特開２００４−１４０７０８号公報（特許文献２）には、特定キーを操作することによって簡易設定モードを起動させたときに、その起動をバイブレータによってユーザに通知する機能を備える携帯電話機が開示されている。
【特許文献１】特開２００４−６２３２０号公報
【特許文献２】特開２００４−１４０７０８号公報
【発明の開示】
【発明が解決しようとする課題】
【０００４】
しかしながら、従来の携帯通信端末では、予め登録しておいた電子メールを送信するための操作をした場合、電子メールの送信が完了したか否かを確認するためには、携帯通信端末の画面を目視する必要があった。その結果、特に、クラムシェルタイプの携帯通信端末の場合には、たとえば、クラムシェルを閉じた状態で操作可能な箇所に電子メールの送信キーを配置したとしても、電子メールの送信が完了したのか否かを確認するために、クラムシェルを開く動作が必要であった。しかしながら、それでは、クラムシェルを閉じた状態で操作可能な箇所に設けた送信キーが活かされない。
【０００５】
本発明は、上述の問題点を解決するためになされたものであって、その目的は、特定操作を契機として電子メールを自動送信する機能を備える携帯通信端末において、電子メールの送信機能の起動および送信結果をユーザが画面を参照することなく認識可能にすることである。
【課題を解決するための手段】
【０００６】
上記の課題を解決するために、この発明のある局面に従うと、バイブレータと、電子メールを記憶するメール記憶手段と、該メール記憶手段に記憶されている電子メールを送信するための操作手段と、該操作手段が操作されたときに、前記メール記憶手段に記憶されている電子メールを送信するためのメール処理を実行するメール処理手段と、該メール処理手段が前記メール処理を開始したときに、前記バイブレータを駆動する第１駆動手段と、前記メール処理手段が前記メール記憶手段に記憶された電子メールを送信できなかったときに、前記第１駆動手段による前記バイブレータの駆動後、前記バイブレータを駆動する第２駆動手段とを備えるを備える。
【０００７】
好ましくは、前記第１駆動手段および前記第２駆動手段が前記バイブレータの駆動に用いる駆動パターンを含む複数種類の駆動パターンを記憶する駆動パターン記憶手段をさらに備え、前記第１駆動手段が用いる前記バイブレータの駆動パターンと前記第２駆動手段が用いる前記バイブレータの駆動パターンとは異なり、かつ、両駆動パターンは、前記駆動パターン記憶手段に記憶されている他の駆動パターンのいずれとも異なる。
【０００８】
好ましくは、受信電波に基づいて取得した前記携帯通信端末の位置情報を記憶する位置情報記憶手段と、該位置情報記憶手段が記憶している位置情報を前記電子メールに付加する位置情報付加手段とをさらに備え、前記メール処理手段は、前記位置情報付加手段が前記位置情報を付加した電子メールを送信する。
【０００９】
好ましくは、受信電波に基づいて取得した前記携帯通信端末の位置情報を記憶する位置情報記憶手段と、前記位置情報に関連付けて所定の付随情報を記憶する付随情報記憶手段とをさらに備え、前記メール処理手段は、前記位置情報に関連付けられた前記付随情報を付加した電子メールを送信する。
【００１０】
好ましくは、通信圏内であるか否かを判定する判定手段をさらに備え、前記メール処理手段は、前記判定手段が通信圏内でないと判定したときには、前記電信メールの送信を予約するための予約領域に所定の予約データを格納し、通信圏外から通信圏内になったときに前記予約領域に格納されている予約データに基づいて前記電子メールを自動的に送信する予約メール送信手段をさらに備える。
【００１１】
好ましくは、前記メール処理手段は、前記予約領域に既に前記予約データが格納されている電子メールについては、重複して電子メールの送信を予約しない。
【００１２】
好ましくは、第１の筐体と、該第１の筐体に対して折り畳み可能な第２の筐体とをさらに備え、前記メール処理手段は、前記第１の筐体に対して前記第２の筐体が折り畳まれた状態になっていることを条件として、前記操作手段の操作に応答した前記メール処理を開始する。
【００１３】
好ましくは、前記メール処理手段による前記電子メールの送信を一定期間待機させる待機手段と、前記メール処理を停止させる停止操作を検出する停止操作検出手段と、前記一定期間経過前に前記停止操作検出手段によって前記停止操作が検出されたときに前記メール処理を停止させる停止手段とをさらに備える。
【発明の効果】
【００１４】
本発明に係る携帯通信端末によると、携帯通信端末の画面を見ることなく電子メール送信機能の起動および送信結果をユーザが確認できる。その結果、たとえば、携帯通信端末をポケットに入れた状態で電子メール機能を起動させる操作をしたときにでも、ユーザは、容易に起動確認および送信結果確認をすることができる。
【発明を実施するための最良の形態】
【００１５】
以下、図面を参照しつつ、本発明の実施の形態について説明する。
【００１６】
［第１実施の形態］
図１〜図３を参照して、本発明に係る携帯通信端末の一態様である携帯電話１について説明する。図１〜図３は、携帯電話１の概観図である。特に、図１は、筐体を開いた状態を示す図である。図２は、筐体の一部を回転させた状態を示す図である。図３は、筐体を折り畳んだ状態を示す図である。
【００１７】
図１に示すように、携帯電話１は、第１の筐体２と、第２の筐体３とから構成されている。第１の筐体２と、第２の筐体とは、ヒンジによって接続されており、主たる操作面および表示面を互いに内側にして折り畳むことが可能である（図３参照）。
【００１８】
第１の筐体２は、表示部４およびスピーカ６が設けられた第１分割体２Ａと、第２の筐体３に対して開閉可能に接続される第２分割体２Ｂとから構成されている。第１分割体２Ａと第２分割体２Ｂとは、ヒンジによって第１分割体２Ａが第２分割体２Ｂに対して１８０度回転可能に接続されている。図２には、第１分割体２Ａを第２分割体２Ｂに対して略９０度回転させた状態が示されている。
【００１９】
このように、携帯電話１は、ダブルヒンジ構造を採用することによって、表示部４を備える筐体部分が回転するスイーベル（swivel）機構を実現している。図３は、表示部４が内面に配置された状態で折り畳まれた状態を示しているが、スイーベル機構を利用するこによって、表示部４を外側に向けた状態で携帯電話１を折り畳むことも可能である。
【００２０】
第２の筐体３には、アンテナ７が設けられている。さらに、第２の筐体３の内面側には、各種の操作キーおよび操作ボタンを含むメイン操作部１０と、マイクロフォン５とが設けられている。メイン操作部１０は、１２キー１１、移動キー１２、ファンクションキー１３、電源ボタン１４、メールボタン１５、通話ボタン１６、カメラボタン１７、クリアボタン１８を含む。
【００２１】
また、第２の筐体３の側面には、サブ操作部２０が設けられている。サブ操作部２０は、サイドキー２１を含む。ユーザは、サイドキー２１を一定時間（たとえば１秒）以上連続して押圧操作したときに起動する機能を予め選択して設定することができる。以下、一定時間（たとえば１秒）以上連続して押圧操作することを“長押し操作”という。たとえば、サイドキー２１の長押し操作に割り当てることができる機能として、ボイスレコーダ機能とクイックメール機能とが用意されている。
【００２２】
ボイスレコーダ機能は、携帯電話１を録音機として機能させる機能である。この機能を利用することによって、突然のインタビューの機会に対応できる。クイックメール機能は、予め登録しておいたメッセージを簡単な操作をすることによって相手先へ送信できる機能である。たとえば、携帯電話１では、サイドキー２１を操作することによって、予め登録しておいたメッセージ特定の相手先へ送信できる。この機能を利用することによって、たとえば、仕事先から帰宅する時間になる毎に、自宅の家族に帰宅を告げる定型的なメッセージを送信することができる。
【００２３】
携帯電話１は、メールをメール形式１で作成するか、メール形式２で作成するか、ユーザが選択できる機能を備える。メール形式１は、送信先の携帯電話の電話番号が送信アドレスとして規定されており、携帯電話でのみ受信可能であって、かつ、本文の最大入力可能文字数が比較的短い形式である。一方、メール形式２は、通信相手が携帯電話に限定されておらずインターネットを介して送信される一般的な電子メールの形式である。以下、メール形式１で作成されたメールを特殊メール、メール形式２で作成されたメールを一般メールという。クイックメールは、定型的なメッセージを送信するものであるために、本実施の形態に関わる携帯電話１では、メール形式１でクイックメールを相手先に送信する。
【００２４】
なお、これに限らず、メール形式２でクイックメールを送信するものであってもよく、メール形式１とメール形式２とのうちからユーザがメール形式を選択できるようにしてもよい。なお、この実施の形態では、携帯電話１が折り畳まれ、かつ待ち受け状態のときにのみ、サイドキー２１の長押し操作が有効となる。なお、「待ち受け状態」とは、通話やブラウジング、メール表示などが行なわれておらず、携帯電話１が着信を待つ状態を意味する。
【００２５】
図４は、携帯電話１の構成を示すブロック図である。携帯電話１は、プログラムおよび各種のデータが予め格納されたＲＯＭ（Read Only Memory）３８と、ＲＯＭ３８からプログラムを読出して実行する制御部３０と、制御部３０がデータの書込みおよび読み出しを行なうためのメモリ３２と、制御部３０の指令に応じて各種演算をし、演算結果を制御部３０に返信する演算回路部３３とを含む。
【００２６】
制御部３０には、メイン操作部１０およびサブ操作部２０からの操作信号が入力される。制御部３０は、入力された操作信号に対して予め定められた処理を実行する。なお、ユーザによる指示は、たとえばカーソルを移動する指示、カーソルによる項目の選択を確定して実行する指示その他の指示を含む。
【００２７】
また、メイン操作部１０は、表示部４に表示される複数の画像の中から、特定の画像（選択候補となる画像）を強調して表示させるための指示を受け付ける。また、メイン操作部１０は、選択された画像に対する選択の確定の指示を受け付ける。これにより、ユーザが選択した画像が特定される。
【００２８】
ユーザがマイクロフォン５に対して発話すると、その発話に応じた音声信号がマイクロフォン５から音声信号処理部３９に入力される。音声信号処理部３９は、予め定められた信号処理を実行して制御部３０に出力する。この処理には、たとえば音声信号の出力レベルの調整が含まれる。制御部３０は、この信号を通信制御部３５に出力し、変調／復調機能を備える無線部４０と、アンテナ７とを介して無線送信する。
【００２９】
アンテナ７で受信された信号は、無線部４０を介して通信制御部３５に入力される。通信制御部３５は、入力信号に対して予め定められた処理を実行して出力する。通信制御部３５から出力される信号は、制御部３０に入力される。制御部３０は再生回路３６を介して音声信号をスピーカ６から出力させる。
【００３０】
ＲＯＭ３８は、携帯電話１が有するアプリケーションプログラム（たとえばクイックメールのプログラム、メール編集プログラム、画像処理プログラム、音声再生プログラム、その他のプログラム）を記憶する。これらのプログラムは、制御部３０により読み出されて、予め定められた処理が実行された後、各処理に対応したデータがメモリ３２に書き込まれる。
【００３１】
制御部３０は、表示ドライバ部３４に表示信号を与える。表示ドライバ部３４は、表示信号に基づいた画像を表示部４に表示させる。なお、表示部４は、液晶ディスプレイであるが、その他の表示装置であってもよい。
【００３２】
開閉検出部３７は、携帯電話１が折り畳まれた状態であるか否かを検出する検出スイッチである。制御部３０は、開閉検出部３７から出力される検出信号に基づいて、携帯電話１が折り畳まれた状態であるか否かを判別する。
【００３３】
バイブレータ３１は、電話の着信、メールの受信その他の状態を機械的な振動によってユーザに報知するための手段である。制御部３０は、予め定められた振動周波数に基づいてバイブレータ３１を発振させる。制御部３０は、バイブレータ３１を駆動させる状態になれば、ＲＯＭ３８に記憶されているパターンデータの中から状態に対応するパターンデータを選択し、その選択したパターンデータに基づいたパターンでバイブレータ３１を振動させる。なお、発振手段はバイブレータ３１に限られない。
【００３４】
図５〜図８は、クイックメール機能を説明するための画面遷移図である。特に、図５は、クイックメールの設定操作を示す図であり、図６は、位置情報を付加する際の設定操作を示す図であり、図７は、クイックメールの送信動作を示す図であり、図８は、クイックメールの送信予約動作を示す図である。なお、図５〜図８において、（１）〜（８）は、表示部４の画面図を示す。
【００３５】
以下、図５〜図８を参照して、ユーザの操作とクイックメール機能との関係を説明する。
【００３６】
クイックメールの設定
クイックメール機能は、携帯電話１の側面に設けられたサイドキー２１の長押し操作によって起動する。図５には、クイックメール機能を起動させる操作をサイドキー２１に割り当てるとともにクイックメールを登録するための操作を示す画面図が示されている。
【００３７】
携帯電話１では、メイン操作部１０を操作することによって、（１）に示すサイドキー設定画面を表示させることが可能である。サイドキー設定画面において、割り当て可能な３つの機能のうちの「クイックメール」を選択状態にすると、（１）のように「クイックメール」が反転表示される。この状態で、携帯電話１に設けられたボタンあるいはキーを用いた決定操作をすることによって、（２）に示されるようにクイックメールの入力画面が表示される。
【００３８】
入力画面には、送信アドレスを入力する「宛先」欄およびメール本文を入力する「本文」欄の他、オプション設定の選択選択欄が表示される。「宛先」および「本文」には、ユーザがメイン操作部１０を操作して、「宛先」および「本文」を適宜入力する。
【００３９】
オプションとして、メールの送信確認に関する「配信確認」と、位置情報の付加に関する「位置情報付加」とが設定できる。いずれも、メイン操作部１０を操作して、オプション有（ＯＮ）、またはオプション無（ＯＦＦ）を選択する。
【００４０】
サイドキー２１にクイックメール起動操作を割り当て、クイックメールの内容を登録した後、メイン操作部１０により、設定を確定させる操作をすれば、その設定内容が保存される。これにより、以降、携帯電話１が折り畳まれ、かつ待ち受け状態となっているときにサイドキー２１を長押し操作する毎に、クイックメール機能が起動する。これにより、登録された本文が登録された送信先へ自動的に送信される。
【００４１】
位置情報付加の設定
クイックメールのオプション設定の１つである「位置情報付加」について説明する。位置情報は、携帯電話１を携えたユーザの地理的位置を特定するための情報である。携帯電話１は、たとえば、基地局のエリア情報を元にして位置情報を取得している。なお、基地局のエリア情報を利用することに代えて、ＧＰＳ（Global Positioning System）を利用して、より高精度な位置情報を取得するようにしてもよい。
【００４２】
クイックメールのオプション設定として、「位置情報付加」をＯＮにすると、予め登録した本文の最後に位置情報と、その位置情報が取得された時刻情報とが付加されて送信される。以下の説明では、時刻情報を含めて、「位置情報」という。付加される位置情報は、クイックメールが送信される時点で携帯電話１が取得している最新の情報であり、たとえば、都道府県名及び市町村などからなるテキストデータである。
【００４３】
図６を参照して、（１）には、クイックメールの設定画面が示されている。この設定画面では、すでに、宛先および本文が入力されている。この画面で、「位置情報付加」を選択し、確定操作をすることによって、画面がＯＮ／ＯＦＦの選択画面に切り替わる。ユーザは、切り替わった後の画面でＯＮまたはＯＦＦを選択できる。
【００４４】
（２）は、ＯＮを選択状態にしたときの画面であり、（３）は、ＯＦＦを選択状態にしたときの画面である。携帯電話１に設けられたボタンあるいはキーを用いてＯＦＦを選択する操作をした後、携帯電話１に設けられたボタンあるいはキーを用いた決定操作をすれば、（４）に示すように画面が切り替わる。この画面で確定操作をすることによって、位置情報付加のオプションがＯＦＦに設定される。
【００４５】
（２）に示されるように、ＯＮを選択状態にしたときの画面には、本文への入力可能文字数が減少する旨の注意を促すメッセージが表示されている。位置情報は、登録するメッセージに付加されるために、登録するメッセージが長いと、位置情報を付加したときの本文の合計データ長が最大データ長を超えることがあるためである。
【００４６】
なお、位置情報はテキストデータであるために、そのデータ長は、取得場所によってまちまちである。この実施の形態では、一律に本文データ長のうちの一定データ長が位置情報用データとして確保される。たとえば、そのデータ長は４５バイトである。
【００４７】
（２）の画面において、決定操作をしたときに、位置情報と登録されているメッセージとの合計が最大データ長を超えたときには、（５）に示す画面に切り替わる。この画面では、送信可能文字数を超過したために本文を削除する旨が表示される。その後、２秒が経過するか若しくはメイン操作部１０のいずれかのボタンを操作することによって、一部を自動的に削除した後の本文のメッセージが表示される。
【００４８】
メッセージを確認後、決定操作をすれば、（７）に示す画面に切り替わる。この画面が表示されているときに、確定操作をすれば、「位置情報付加有」に設定されるとともに、削除後のメッセージが本文として登録される。
【００４９】
なお、クイックメールの本文データは、「今から帰宅します」などの定型的な文章が想定されるが、本文が無く、位置情報付加のみが「ＯＮ」に設定されている場合には、位置情報のみがクイックメールとして送信される。
【００５０】
クイックメールの送信動作
図７を参照して、クイックメールの送信動作を説明する。なお、ここでは、表示部４が外側に向けられた状態で携帯電話１が折り畳まれているときを想定して説明する。
【００５１】
（１）に示されるように、待ち受け状態において、サイドキー２１の長押し操作が検出されると、クイックメール機能が起動する。これにより、（１）の画面がクイックメールの起動中を示す画面（２）に切り替わる。
【００５２】
また、クイックメール機能が起動することに応じて、特定のパターンでバイブレータ３１が０．５秒間駆動し、クイックメール機能の起動をユーザに報知する。これにより、ユーザは、クイックメール機能が起動したことを、画面を確認することなく把握できる。
【００５３】
たとえば、ユーザが携帯電話１をポケットに入れて手探りでサイドキー２１を操作したときに、クイックメール機能が起動したことをユーザに確実に報知できる。また、ポケットに入れている携帯電話１のサイドキー２１が何かと接触することで長押し状態となったときには、誤動作によってクイックメール機能が起動したことをユーザに速やかに報知できる。
【００５４】
クイックメール機能が起動してから５秒間は、クイックメールの送信処理が待機状態となる。この５秒の間に、電源ボタン１４を押圧するなどのキャンセル操作をすれば、起動したクイックメール機能が停止する。これにより、クイックメールの送信がキャンセルされる。
【００５５】
なお待機時間を５秒としたのは、折り畳まれた携帯電話１を開いてからキャンセル操作をするまでの時間的余裕を考慮したものである。特に、表示部４を内側にして折り畳んでいる場合には、折り畳まれた携帯電話１を開いてから（２）の画面が表示されるまでの間に多少の時間を要するために、この時間の経過後に、ユーザが起動している機能を確認した上でキャンセル操作をするための時間を考慮している。
【００５６】
待機時間が経過した後、（３）の送信画面に切り替わり、予め登録したクイックメールが送信される。送信が完了すれば、（４）の送信完了画面に切り替わる。その後、（５）に示されるように、元の待ち受け画面に切り替わる。
【００５７】
一方、予め登録した送信アドレスに誤りがあるなどして、加入電話網（Public Switched Telephone Networks）側からエラーデータが返信されたときには、（６）に示されるように、宛先の確認を促すメッセージ画面が表示される。その後、自動的に画面が送信の失敗を通知する（７）の画面に切り替わり、所定時間経過後に（８）に示されるような待ち受け画面に戻る。このとき、特定のパターンでバイブレータ３１が１秒間駆動し、クイックメールの送信失敗がユーザに報知される。これにより、ユーザは、クイックメールの送信が失敗したことを、画面を確認することなく把握できる。
【００５８】
特に、クイックメール機能が起動したときのバイブレータの駆動時間と、クイックメールの送信が失敗したときのバイブレータの駆動時間とが異なるために、報知する事象が時間的に連続するものの、各事象の発生を明確にユーザに伝えることができる。さらに、本実施の形態では、駆動時間のみならず、駆動パターンをも両報知事象で異ならせているために、より一層、明確に、各事象の発生をユーザに報知できる。なお、ここでは、駆動時間および駆動パターンを異ならせたが、これに限ることなく、駆動時間および駆動パターンを共通にしてもよい。あるいは、駆動時間と駆動パターンとのうちのいずれか一方のみを異ならせてもよい。
【００５９】
（７）の失敗画面を確認したユーザが携帯電話１に設けられたボタンあるいはキーを用いて所定の確認操作をすることによって、（８）に示されるような待ち受け画面に切り替わる。
【００６０】
なお、クイックメールの送信が成功したときには、バイブレータ３１は駆動されない。しかしながら、この場合にも、バイブレータ３１を駆動させてもよい。ただし、クイックメールの送信が成功したときにもバイブレータ３１を駆動させる場合には、その駆動パターンまたは駆動時間を、クイックメールの送信が失敗したときのバイブレータ３１の駆動パターンまたは駆動時間と異ならせる必要がある。
【００６１】
また、クイックメールの送信に成功したときにバイブレータ３１を駆動させ、クイックメールの送信に失敗したときにはバイブレータ３１を駆動させないようにしてもよい。
【００６２】
さらに、バイブレータ３１の駆動時間は、上記したものに限られることなく、報知する対象によってバイブレータ３１の駆動時間が異なるものであればよい。
【００６３】
以上の図７の説明は、表示部４が外側に向けられた状態で携帯電話１が折り畳まれていることを想定したものである。しかしながら、表示部４が内側に向けられた状態で携帯電話１が折り畳まれているときにも、表示部４に画面表示されない点を除き、同様の手順でクイックメール機能が起動してクイックメールが送信され、かつ、状況に応じてバイブレータ３１が駆動する。特に、表示部４が内側に向けられた状態で携帯電話１が折り畳まれているときには、クイックメール機能が起動したことおよびメールの送信状況をユーザが画面で把握することができない。しかしながら、本実施の形態によれば、表示部４の状態に関わらず、バイブレータ３１の駆動によって、クイックメール機能が起動したことおよび送信状況をユーザが把握できるという効果が奏される。なお、クイックメール機能が起動した後は、表示部４が外側に向けられているか内側に向けられているかに関わらず、折り畳まれている携帯電話１を開けば、表示部４には図７に示した各種の画面が通信状態に応じて表示される。
【００６４】
クイックメールの予約
図８を参照して、クイックメールの予約動作を説明する。携帯電話１は、通信圏外でクイックメール機能を起動させたとき、以下に説明するような予約動作をする。なお、ここでは、表示部４が外側に向けられた状態で携帯電話１が折り畳まれているときを想定して説明する。
【００６５】
（１）および（２）に示されるように、待ち受け状態において、サイドキー２１の長押し操作が検出されると、クイックメール機能が起動し、画面が切り替わる。なお、（２）の画面に切り替わったときには、前述したように、バイブレータ３１が駆動される。
【００６６】
クイックメール機能が起動したときに、通信圏外であれば、送信対象のクイックメールが送信予約メールとして、予約メールの格納領域に格納される。そして、（３）に示されるように、予約メールとして登録され、かつ、自動的に送信される旨のメッセージが表示された画面に切り替わる。予約メールとして登録されたクイックメールは、たとえば、通信圏内に入ったときに、自動的に送信される。（３）のメッセージ画面が表示されてから５秒が経過すると、（４）に示すように、待ち受け画面に切り替わる。
【００６７】
一方、予約メールの格納領域に空きが無いか、または予約設定がＯＦＦになっているときには、（２）の起動画面からクイックメールの送信失敗を通知する（５）の画面に切り替わる。このとき、バイブレータ３１が１秒間駆動されて、クイックメールの送信が失敗したことがユーザに報知される。このときのバイブレータ３１の駆動パターンは、図７の画面（７）に切り替わったときのバイブレータ３１の駆動パターンと同一である。なお、これに代えて、駆動パターンを図７の画面（７）に切り替わったときの駆動パターンと異ならせてもよい。
【００６８】
以上のように、本実施の形態によれば、通信圏外でクイックメール機能を起動したときでも、予約設定をＯＮに設定しておけば、通信圏内になったときにクイックメールが自動送信されるために、ユーザに手間をかけることなく確実にクイックメールを送信できる。
【００６９】
なお、以上の図８の説明は、表示部４が外側に向けられた状態で携帯電話１が折り畳まれていることを想定したものである。しかしながら、表示部４が内側に向けられた状態で携帯電話１が折り畳まれているときにも、表示部４に画面表示されない点を除き、同様の手順でクイックメール機能が起動してクイックメールの予約動作が実行され、あるいは予約できないときにはバイブレータ３１が駆動する。また、クイックメール機能が起動した後は、表示部４が外側に向けられているか内側に向けられているかに関わらず、折り畳まれている携帯電話１を開けば、表示部４には図８に示した各種の画面が通信状態に応じて表示される。
【００７０】
図９は、バイブレータ３１の駆動パターンデータを示す図である。図１０は、クイックメール情報の格納領域および予約メールの格納領域を説明するための概念図である。図１１〜図１６は、制御部３０が実行する処理を説明するためのフローチャートである。
【００７１】
以下、図９〜図１６を参照して、クイックメール機能に関して制御部３０が実行する制御内容を説明する。
【００７２】
携帯電話１のＲＯＭ３８には、図９に示される駆動パターンデータが格納されている。たとえば、駆動パターンデータとして、着信時の駆動パターンや、電子メールを受信したときの駆動パターン、クイックメール起動時の駆動パターン、クイックメールの送信に失敗したときの駆動パターンターンなどが１つのテーブル内に記憶されている。制御部３０は、携帯電話１の状態に応じて、予め定めた駆動パターンを選択して、選択した駆動パターンでバイブレータ３１を駆動する。
【００７３】
携帯電話１のメモリ３２には、クイックメール情報の格納領域と、予約メールの格納領域とが設けられている。図１０（Ａ）には、クイックメール情報の格納領域の概念図が示され、図１０（Ｂ）には予約メールの格納領域の概念図が示されている。
【００７４】
クイックメール情報の格納領域は、メール形式１で作成された、クイックメール以外の特殊メール、およびメール形式２で作成された一般メールの送信メールボックスの格納領域とは別に設けられている。図１０（Ａ）に示すように、クイックメールの格納領域は、クイックメール機能の設定値データを格納する設定値データ領域１０１と、送信アドレスを格納する送信アドレス領域１０２と、本文を格納する本文領域１０３と、位置情報を格納する位置情報領域１０４とを含む。
【００７５】
設定値データ領域１０１には、サイドキー２１にクイックメール機能が割り当てられているか否かを示すデータや、クイックメールのオプション設定の選択データなどが格納される。オプション設定の選択データとは、前述した位置情報の付加のＯＮ／ＯＦＦなどのデータである。
【００７６】
送信アドレス領域１０２には、クイックメールの送信アドレスが格納される。本文領域１０３には、クイックメールの本文データ（位置情報を除く）が格納される。位置情報領域１０４には、携帯電話１が取得する位置情報が随時更新されて格納される。したがって、ユーザが位置情報を変化させる範囲（位置登録エリア）を移動する毎に位置情報領域１０４内の位置情報は更新されている。
【００７７】
制御部３０は、図５および図６を用いて説明したユーザの操作に対応して、クイックメール情報の格納領域内のデータを更新する。これによって、クイックメールの機能およびクイックメールデータが携帯電話１内に登録されることになる。
【００７８】
一方、予約メールの格納領域は、メモリ３２の送信トレイの記憶領域内に設けられている。図１０（Ｂ）に示すように、予約メールの格納領域には、予約メールとして最大１０件の電子メールを格納可能である。予約メールの格納領域には、通信圏外でクイックメール機能を起動させたときの送信対象であるクイックメールが格納される。さらに、この予約メールの格納領域には、通信圏外でユーザが作成し、送信予約をしたときの特殊メールや一般メールも格納される。
【００７９】
図１０（Ｃ）には、図１０（Ｂ）に示した予約メールの格納領域の構成が示されている。予約メール１〜１０の各格納領域には、メール種別を示す種別データと、位置情報の付加の有無を示すデータと、送信アドレスと、本文データとが格納される。種別データは、格納されているメールがクイックメールであるのか、クイックメール以外の特殊メールであるのか、一般メールであるのかを示すデータである。
【００８０】
位置情報の有無を示すデータは、種別データがクイックメール以外の特殊メールまたは一般メールであるときには、常に、付加無を示す「０」である。一方、種別データがクイックメールのときには、位置情報の有無を示すデータは、付加無を示す「０」または付加有を示す「１」である。なお、クイックメールであるか否かを問わず、位置情報を本文に付加して送信するようにしてもよい。
【００８１】
制御部３０は、通信圏外から通信圏内に入ったときに、予約メールの格納領域に格納されている予約メールを順次送信する。このとき、送信する予約メールがクイックメールであるか否かを判別し、クイックメールのときには、位置情報の付加有が設定されているか否かを予約メール格納領域に格納されている位置情報のデータで判別する。
【００８２】
位置情報の付加有が設定されているときには、付加するべき位置情報をクイックメール情報の格納領域中の位置情報領域１０４から読出す。そして、読出した位置情報を本文に付加した上で、電子メールを送信する。このため、送信予約された時点での携帯電話１の地理上の位置と、送信予約されたクイックメールが送信される時点での携帯電話１の地理上の位置とが異なっていても、送信相手先に、正確な位置情報を通知できるという効果が奏される。
【００８３】
なお、クイックメールを送信予約するときに、本文領域中に本文データの一部として予め位置情報を記憶させてもよい。このようにした場合には、送信予約された時点での携帯電話１の地理上の位置と、送信予約されたクイックメールが送信される時点での携帯電話１の地理上の位置とが異なっていると、送信相手先に正確な位置情報を通知できない。しかしながら、制御および記憶領域の簡略化を図ることができるというメリットを有する。
【００８４】
また、この実施の形態では、予約メールの格納領域をクイックメール以外の特殊メールや一般メールにも共用している。しかしながら、これに代えて、クイックメール専用の予約メール格納領域を設けてもよい。
【００８５】
次に、図１１および図１２を参照して、制御部３０が実行するクイックメール送信処理を説明する。ステップ（以下、単にＳと表記する）１では、サイドキー２１の長押し操作が検出されたかが判別される。長押し操作が検出されないときには処理が終了する。長押し操作が検出されたときには、クイックメール機能を起動可能な状態であるか否かが判別される（Ｓ２）。
【００８６】
起動可能な状態とは、たとえば、携帯電話１が待ち受け状態で、かつ折り畳まれた状態にあることである。折り畳まれた状態か否かは、携帯電話１に内蔵されている開閉検出部３７からの検出信号に基づいて判断される。起動可能な状態でなければ、処理が終了する。したがって、サイドキー２１の操作は無効とされる。
【００８７】
一方、起動可能な状態であれば、クイックメール用のアプリケーションが立ち上がり、クイックメール機能が起動される（Ｓ３）。この実施の形態では、携帯電話１が表示部４を内側にして折り畳まれている場合のみならず、外側にして折り畳まれている場合にも、クイックメール機能が起動する。しかしながら、これに代えて、表示部４を内側にして折り畳まれている場合にのみ、サイドキー２１の操作によってクイックメール機能が起動するようにしてもよい。
【００８８】
Ｓ３においてクイックメール機能が起動されるとともに、バイブレータ３１が特定の駆動パターンＡ（図９参照）で０．５秒間駆動される（Ｓ４）。これにより、バイブレータ３１がクイックメール機能の起動に固有の振動をする。ユーザは、この振動を感じることで、クイックメール機能が起動したことを認識する。なお、バイブレータ３１を駆動することに加えて、さらに、スピーカ６から、クイックメール機能が起動したことを報知する起動音を発生させてもよい。
【００８９】
さらに、表示部４を外側にして携帯電話１が折り畳まれているときには、起動中画面が表示部４に表示される（Ｓ５）。この起動中画面は、図７（２）を用いて既に説明した。
【００９０】
なお、図１１および図１２に示されるステップのうち、破線で示すＳ５、Ｓ１１、Ｓ１４、Ｓ１９、Ｓ２１の各ステップは、表示部４の表示画面を切替えるステップである。ただし、各ステップに移行するタイミングで携帯電話１が表示部４を内側にして折り畳まれているときには、各ステップは実行されない。
【００９１】
たとえば、バイブレータ３１が振動することでクイックメール機能の起動に気づいたユーザが、表示部４を内側にして折り畳まれていた携帯電話１を開いた場合には、その開いたタイミングでＳ５の処理が実行されて起動中画面が表示部４に表示される。以下では、折り畳まれていた携帯電話１が開かれた状態、若しくは表示部４を外側にして携帯電話１が折り畳まれて状態を想定して、Ｓ１１、Ｓ１４、Ｓ１９、Ｓ２１を説明する。
【００９２】
Ｓ５の後、送信待機時間タイマがセットされる（Ｓ６）。送信待機時間タイマは、クイックメール機能が起動してからの待機時間を計時するタイマであり、たとえば、５秒である。待機時間を５秒としたのは、前述したように、折り畳まれた携帯電話１を開いてからキャンセル操作をするまでの時間的余裕を考慮したものである。しかしながら、この時間は、５秒に限られるものではなく、操作のための時間的余裕を考慮して適宜、設定できる。また、ユーザの選択操作によって設定できるようにしてもよい。
【００９３】
送信待機時間タイマがセットされてから送信待機時間タイマがタイムアップするまで（Ｓ９）の間、キャンセル操作が検出されたか否かが判別される（Ｓ７）。キャンセル操作が検出されたときには、Ｓ１２においてクイックメールが送信される前に、クイックメール機能が停止する（Ｓ８）。
【００９４】
キャンセル操作は、たとえば、電源ボタン１４の操作である。しかしながら、これに代えて、あるいはこれに加えて、折り畳まれていた携帯電話１を一旦開いて再び折り畳む開閉操作、またはサイドキー２１の長押し操作をキャンセル動作としてもよい。あるいは、電源ボタン１４の操作、携帯電話１の開閉動作、サイドキー２１の長押し操作のすべてをキャンセル操作としてもよい。さらには、複数の操作のうちのいずれをキャンセル操作に割り当てるのかをユーザが選択できるようにしてもよい。
【００９５】
開閉操作をキャンセル操作としたときには、開閉検出部３７からの検出信号に基づいて制御部３０が携帯電話１の開閉を検出してクイックメール機能を停止させる。また、サイドキー２１の長押し操作をキャンセル操作としたときには、サイドキー２１の長押し操作を制御部３０が検出してクイックメール機能を停止させる。
【００９６】
Ｓ９で送信待機時間が経過したと判断されたときには、通信圏内であるか否かが判断される（Ｓ１０）。通信圏内であれば、表示部４に送信中画面が表示される（Ｓ１１）。送信中画面については、図７（３）を用いて既に説明した。さらに、登録されているクイックメールを送信する送信処理が実行される（Ｓ１２）。送信処理の詳細は、図１３を用いて後述する。
【００９７】
Ｓ１２の送信処理の後、クイックメールを送信する処理が正常終了したか否かが判別される（Ｓ１３）。正常終了したと判別されたときには、表示部４に送信完了画面が表示され（Ｓ１４）、クイックメール送信処理が終了する。送信完了画面については、図７（４）を用いて既に説明した。
【００９８】
一方、Ｓ１３において、正常終了しなかったと判断された場合には、Ｓ２０に進む。制御部３０は、クイックメールの送信アドレスに該当するものが存在しないために加入電話網からエラーが返ってきたときに、正常終了しなかったと判断する。
【００９９】
Ｓ２０では、バイブレータ３１が特定の駆動パターンＢ（図９参照）で１．０秒間駆動される。これにより、バイブレータ３１がクイックメールの送信失敗に固有の振動をする。ユーザは、この振動を感じることで、クイックメールの送信に失敗したことを認識する。なお、バイブレータ３１を駆動することに加えて、さらに、スピーカ６から、クイックメールの送信に失敗したことを報知する失敗報知音を発生させてもよい。
【０１００】
Ｓ２０の処理に続いて、表示部４に送信失敗画面が表示される（Ｓ２１）。この送信失敗画面は、図７（６）および（７）を用いて既に説明した。なお、送信失敗画面に、クイックメールの送信アドレスを表示し、その送信失敗画面でユーザが送信アドレスを確認できるようにしてもよい。さらに、その送信失敗画面から、送信アドレスを変更できるようにしてもよい。
【０１０１】
Ｓ１０で通信圏内ではないと判断されたときには、送信予約の設定がＯＮになっているか否かが判断される（Ｓ１５）。送信予約の設定は、たとえば、クイックメールを含む特殊メール、および一般メールに共通に反映される設定である。制御部３０は、送信予約の設定メニューが呼び出されている状態で、送信予約をＯＮにする設定操作が検出されたときに、送信予約の設定をＯＮにする。
【０１０２】
Ｓ１５において、送信予約の設定がＯＮになっていると判断されたときには、送信予約数がすでに上限数を超えているか否かが判断される（Ｓ１６）。図１０（Ｂ）を用いて説明したように、送信予約の上限数は、たとえば、１０件である。
【０１０３】
送信予約数が上限数を超えていない場合には、今回、送信できないクイックメールと同じメールが既に予約済みであるか否かが判断される（Ｓ１７）。具体的には、予約メールの格納領域に格納されているデータの中に、今回、送信できないクイックメールのデータが含まれているか否かが判断される。今回、送信できないクイックメールと同じメールが予約メールの格納領域に格納されていると判断されたときには、クイックメール送信処理が終了する。同じメールについては、重複して予約メールの格納領域に格納されないために、予約メールの格納領域を無駄に使用することがない。また、同じメールが相手先に重複して送信されてしまうことも防止できる。
【０１０４】
一方、Ｓ１７において、今回、送信できないクイックメールと同じメールが既に予約済みではないと判断されたときには、送信予約登録処理が実行される（Ｓ１８）。これにより、クイックメールが送信予約メールとして、予約メールの格納領域に格納される。送信予約メールは、たとえば、データが格納されていない格納領域のうち、図１０（Ｂ）に示す格納領域の番号が最も若い番号の格納領域に格納される。
【０１０５】
格納されるデータは、種別データ、位置情報の付加の有無を示すデータ、送信アドレス、および本文データである。ここで送信予約されたクイックメールは、図１４を用いて説明する予約メッセージ送信処理によって自動送信される。
【０１０６】
送信予約処理の後、表示部４に送信予約画面が表示される（Ｓ１９）。送信予約画面は、図８（３）を用いて既に説明したとおりである。
【０１０７】
Ｓ１５において、送信予約の設定がＯＮでないと判断されたとき、およびＳ１６で送信予約メール数が上限数に達していると判断されたときには、Ｓ２０およびＳ２１に進み、バイブレータ３１が駆動されるとともに送信失敗画面が表示される。これにより、ユーザに送信の失敗が通知される。このときの処理は、Ｓ１３で正常終了しなかったと判断された場合の処理と同じである。しかしながら、これに代えて、Ｓ２０とは異なる駆動パターンでバイブレータ３１を駆動させてもよい。また、Ｓ２１とは異なる画面を表示部４に表示させてもよい。
【０１０８】
次に、図１３を用いて送信処理を説明する。送信処理は、図１２のＳ１２で制御部３０が実行するサブルーチンである。この送信処理によって、サイドキー２１の操作に応答して、予め登録された送信先へクイックメールが送信される。
【０１０９】
まず、クイックメール情報の格納領域からクイックメールデータが読出される（Ｓ１０１）。クイックメールデータは、図１０（Ａ）に示した設定値データ、送信アドレス、本文、および位置情報である。
【０１１０】
次に、位置情報付加の設定がＯＮになっているか否かが判断される（Ｓ１０２）。この判断は、Ｓ１０１で読み出した設定値データに基づいて行なわれる。位置情報付加の設定がＯＮになっている場合には、本文に位置情報が付加される（Ｓ１０３）。
【０１１１】
具体的には、Ｓ１０１で読出した本文の末尾に対して、改行コードを挿入した上で、Ｓ１０１で読出した位置情報のテキストデータが付加される。そして位置情報を付加した後の本文が、クイックメールの本文として設定される。
【０１１２】
付加される位置情報は、携帯電話１の現在時点での地理上の位置が反映された最新のものである。そのため、クイックメールの送信予約時点と、送信時点とで地理上の位置が異なる場合でも、正確な位置情報を相手先に通知できる。なお、Ｓ１０１で読出した本文領域に本文が全く存在しないときには、位置情報のテキストデータのみがクイックメールの本文として設定される。
【０１１３】
一方、Ｓ１０２において、位置情報付加の設定がＯＮではないと判断されたときには、Ｓ１０１で読出した本文自体がクイックメールの本文として設定される。
【０１１４】
Ｓ１０３の後、またはＳ１０２でＮＯと判断された後、Ｓ１０１で読み出した送信アドレスがクイックメールの送信アドレスとしてセットされる（Ｓ１０４）。続いて、クイックメールが送信され（Ｓ１０５）、処理が図１２のＳ１３に移行する。
【０１１５】
次に、図１４を参照して、予約メール送信処理を説明する。予約メール送信処理は、通信圏外から通信圏内に入ったときに、予約メールの格納領域に格納された予約メールを自動送信する処理である。この処理は、重複して実行することができない他のアプリケーションが起動していないことを条件にして、制御部３０が実行する。
【０１１６】
最初に、通信圏内に入っているか否かが判断される（Ｓ３１）。通信圏内に入っていないときには処理が終了する。一方、通信圏内に入っているときには、予約メールの格納領域が検索され、予約メール１の格納領域にデータが格納されているか否かが判断される（Ｓ３２）。
【０１１７】
制御部３０は、送信予約のメールを格納するときには、データが格納されていない格納領域のうち、最も若い番号の格納領域に格納する。そのため、予約メール１の格納領域にデータが格納されていないときには、予約メールが存在しないと判断できる。この場合には、Ｓ３２でＮＯと判断されて処理が終了する。
【０１１８】
一方、Ｓ３２で予約メール１の格納領域にデータが格納されている場合には、そのメールデータがクイックメールであるか否かが判断される（Ｓ３３）。具体的には、予約メール１のメールデータのうちの種別データ（図１０（Ｃ）参照）を参照することによって、その判断を行なう。
【０１１９】
Ｓ３３において、クイックメールであると判断されたときには、位置情報付加の設定がＯＮになっているか否かが判断される（Ｓ３４）。具体的には、予約メール１のメールデータのうちの位置情報の有無を示すデータ（図１０（Ｃ）参照）を参照することによって、その判断を行なう。
【０１２０】
Ｓ３４において、位置情報付加の設定がＯＮになっていると判断されたときには、本文に位置情報が付加される（Ｓ３５）。具体的には、クイックメール情報の格納領域（図１０（Ａ）参照）から位置情報が読出される。次に、予約メール１の本文データの末尾に対して、改行コードが挿入され、クイックメール情報の格納領域から読出された位置情報のテキストデータが付加される。そして位置情報を付加した後の本文が、クイックメールの本文として設定される。
【０１２１】
次に、Ｓ３６では、予約メール１の格納領域に格納されている予約メールが送信される。これにより、Ｓ３５で位置情報を付加したクイックメールが送信先へ送信される。または、Ｓ３４でＮＯと判断されているときには、予約メール１の格納領域に格納されているクイックメールが、位置情報が付加されることなく送信先へ送信される。あるいは、Ｓ３３でＮＯと判断されているときには、クイックメール以外の特殊メールまたは一般メールが送信先へ送信される。
【０１２２】
Ｓ３６で予約メール１の格納領域に格納されている予約メールが送信された後、予約メールの格納領域内のデータをシフトする処理が実行される（Ｓ３７）。具体的には、予約メール２の格納領域内のデータが予約メール１の格納領域へシフトされ、予約メール３の格納領域内のデータが予約メール２の格納領域へシフトされ、以下、同様にして、予約メールｎの格納領域内のデータが予約メールｎ−１の格納領域へ順次シフトされ、最後に、予約メール１０の格納領域内のデータが予約メール９の格納領域へシフトされる。
【０１２３】
次に、処理がＳ３１に戻り、以下、同様にして、予約メール１の格納領域を対象とした上述の処理が繰り返される。これにより、通信圏内であることが継続する限り、予約メールの格納領域に予約されているすべての予約メールが順次送信される。そして、すべての予約メールが送信されると、Ｓ３２でＮＯと判断されて、処理が終了する。
【０１２４】
次に、図１５および図１６を参照して、位置情報設定処理を説明する。位置情報設定処理は、図６を用いて説明したユーザの操作に応じて、制御部３０が位置情報の設定をする処理である。この処理は、表示部４が図６（１）の画面から図６（２）の画面に切替えられたときに実行される。
【０１２５】
最初に、位置情報の付加有（ＯＮ）に設定する選択操作が検出されたか否かが判断される（Ｓ４１）。位置情報を付加有に設定する選択操作が検出されたときには、表示部４が本文への入力可能文字数が減少する旨を示す画面に切替えられる（Ｓ４２）。この画面の具体例は、図６（２）に示されている。
【０１２６】
Ｓ４２の次に、携帯電話１に設けられたボタンあるいはキーを用いた確認操作が検出されたか否かが判断される（Ｓ４３）。確認操作が検出されたときには、位置情報用の一定データ長（たとえば４５バイト）と、本文領域１０３（図１０（Ａ）参照）に格納されている本文のデータ長とが加算される（Ｓ４４）。
【０１２７】
次に、位置情報を本文に付加することができるか否かが判断される（Ｓ４５）。具体的には、Ｓ４４の加算結果が、本文の最大データ長以下であるか否かが判断される。Ｓ４４の加算結果が本文の最大データ長以下である場合には、設定値データ（図１０（Ａ）参照）のうち、位置情報付加の有無に関するデータが位置情報の付加有（ＯＮ）に設定される（Ｓ４６）。
【０１２８】
Ｓ４５において、位置情報を本文に付加することができないと判断されたときには、表示部４が本文の一部を削除する旨を示す画面に切り替わる（Ｓ５２）。この画面は、図６（５）を用いて既に説明した。その後、２秒が経過したか若しくはいずれかのキー（ボタン）操作が検出されると、Ｓ５３でＹＥＳと判断され、一部を削除した後の本文の内容が表示部４に表示される。この画面は、図６（６）を用いて既に説明した。
【０１２９】
削除される本文のデータ量は、位置情報の入力に必要な量である。たとえば、Ｓ４４の加算結果が本文の最大データ長を１０バイト上回るようであれば、１０バイト相当の文字データが本文の文章の後ろから削除される。
【０１３０】
Ｓ５４の後、携帯電話１に設けられたボタンあるいはキーを用いた決定操作が検出されると（Ｓ５５でＹＥＳ）、一部を削除した後の本文で、本文領域（図１０（Ａ）参照）内の本文が更新される（Ｓ５６）。次に、設定値データ（図１０（Ａ）参照）のうち、位置情報付加の有無に関するデータが位置情報の付加有（ＯＮ）に設定され（Ｓ４６）、処理が終了する。
【０１３１】
Ｓ５５において、決定操作が検出されないときには、携帯電話１に設けられたボタンあるいはキーを用いたキャンセル操作が検出されたか否かが判断される（Ｓ５７）。キャンセル操作が検出されない場合には、処理がＳ５５に戻り、再び決定操作が検出されたか否かが判断される。キャンセル操作が検出された場合には、図６（２）の設定選択画面に復帰する（Ｓ５８）。この場合、本文の一部が削除されて設定されてしまうことはない。その後、処理がＳ４１に戻る。
【０１３２】
Ｓ４１で位置情報を付加有に設定する選択操作が検出されなかったときには、キャンセル操作が検出されたか否かが判断される（Ｓ４７）。キャンセル操作が検出された場合には、表示部４がクイックメール設定の初期画面に復帰する（Ｓ４８）。この初期画面は、図６（１）に示されている。
【０１３３】
Ｓ４７において、キャンセル操作が検出されなかった場合には、位置情報を付加無に設定する選択操作が検出されたか否かが判断される（Ｓ４９）。その選択操作が検出されなかったときには、処理がＳ４１に戻る。
【０１３４】
Ｓ４９において、位置情報を付加無に設定する選択操作が検出された場合には、図６（３）に示す画面に表示部４が切替えられ、さらに、決定操作が検出されたか否かが判断される（Ｓ５０）。決定操作が検出されない場合には、処理がＳ４１に戻る。
【０１３５】
Ｓ５０において、決定操作が検出されたときには、次に、設定値データ（図１０（Ａ）参照）のうち、位置情報付加の有無に関するデータが位置情報の付加無（ＯＦＦ）に設定され（Ｓ５１）、処理が終了する。
【０１３６】
図１５および図１６を用いて説明した上記の手順により、制御部３０は、位置情報の設定を付加有または付加無に更新する。
【０１３７】
［第２実施の形態］
次に、図１７および図１８を参照して、第２実施の形態を説明する。第２実施の形態に関わる携帯電話１のハードウェア構成は、第１実施の形態と同様である。第２実施の形態は、端的にいえば、目的地に到着するまでの時間をクイックメール機能を利用して目的地のメール受信者に通知するものである。
【０１３８】
第１実施の形態は、単に位置情報を相手先に電子メール本文に付加して送信するものであった。このため、クイックメールの受信者は、送信されてくる位置情報から相手の到着時間を割り出す必要がある。しかしながら、第２実施の形態によれば、到着時間が直接、メール本文に付加されて目的地に送信されるために、目的地で待っている者は、到着時間をその都度、割り出す必要がない。その結果、より一層、利便性が向上される。
【０１３９】
図１７には、クイックメール情報の格納領域、位置名称データベース、および到着時間管理テーブルの概念図が示されている。
【０１４０】
第２実施の形態では、クイックメール情報の格納領域として、第１実施の形態には存在しない位置名称領域１０６と到着時間領域１０７とがさらに設けられている。位置名称領域１０６には、位置情報に対応させてユーザが登録した位置名称が格納される。到着時間領域１０７には、目的地までの到着時間が格納される。
【０１４１】
また、第２実施の形態では、設定値データ領域１０１には、クイックメールのオプション設定の選択データとして、到着時間をクイックメールの送信先へ通知するか否かを示すデータが格納される。ユーザが到着時間の通知をＯＮ（通知有）またはＯＦＦ（通知無）に設定すれば、その設定が設定値データ領域１０１に格納される。この設定をＯＮにしたときには、サイドキー２１の操作に応じて、到着時間を示す情報が付加されたクイックメールが送信される。
【０１４２】
さらに、第１実施の形態と、第２実施の形態とでは、クイックメール情報の格納領域のうちの本文領域の構成が異なる。第１実施の形態の本文領域１０３には、ユーザの操作によって直接に入力されたテキストデータのみが格納された。しかしながら、第２実施の形態の本文領域１０５には、ユーザの操作によって直接に入力されたテキストデータの他に、他の格納領域１０６、１０７内のデータが割り当てられる領域［Ｌ］、［Ｔ］が予め設定されている。
【０１４３】
領域［Ｌ］には、位置名称データを格納する位置名称領域１０６内のデータが対応付けられている。一方。領域［Ｔ］には、到着時間データを格納する到着時間領域１０７が対応付けられている。
【０１４４】
位置名称領域１０６には、図１７（Ｂ）に示す位置名称データベースに含まれる位置名称データのいずれかが格納される。位置名称データベースは、位置情報に対して位置名称データとメールアドレスとの２種類のデータが対応付けられたテーブルである。制御部３０は、ユーザの操作に応じて位置名称データベースを更新する。
【０１４５】
その更新方法は、こうである。たとえば、ユーザが自宅に居るときに位置名称データベースの更新メニューを呼び出せば、自宅に対応する地理的位置を示す位置情報Ａが表示部４に表示される。このとき、ユーザがその位置情報Ａに対応する位置名称を入力すれば、制御部３０は、その入力した名称を位置情報Ａに対応する位置名称データとして登録する。このとき、さらに、自宅に対応するメールアドレスを入力すれば、制御部３０は、その入力したメールアドレスを位置情報Ａに対応するメールアドレス「×××」として登録する。
【０１４６】
このようにして、登録したい場所で位置名称データベースの更新メニューを操作することで、その場所の位置情報に対応する位置名称データベースが作成される。位置名称データベースは、メモリ３２に記憶されている。
【０１４７】
到着時間領域１０７には、図１７（Ｃ）に示す到着時間管理テーブル内の時間データのいずれかが格納される。到着時間管理テーブルは、位置名称データベースに登録されている一の場所から他の場所への到着時間を記憶するテーブルである。
【０１４８】
図１７（Ｃ）において、最左列および最上段の１〜５は、図１７（Ｂ）の位置名称データベースのメモリアドレス１〜５に対応する。たとえば、Ｔ１２は、自宅から会社までの到着時間を示す。また、Ｔ２４は、会社から英会話教室までの到着時間を示す。到着時間は、たとえば、位置名称データベースに登録されている位置情報を元にして、演算回路部５により算出される。あるいは、ユーザが自身で入力する。到着時間管理テーブルは、メモリ３２に記憶されている。
【０１４９】
次に、図１８を参照して、第２実施の形態に関わる送信処理２を説明する。この送信処理２は、図１３の送信処理の代わりに、図１２のＳ１２において実行される処理である。すなわち、第２実施の形態に関わるクイックメール送信処理の制御手順は、Ｓ１２のサブルーチンを除いて、図１１および図１２を用いて説明した第１実施の形態に関わるクイックメール送信処理の制御手順と共通である。したがって、第２実施の形態では、第１実施の形態と同じく、ユーザがサイドキー２１を長押し操作したときに（Ｓ１）、クイックメール機能を起動可能な状態（Ｓ２）で、かつ、通信圏内にあれば（Ｓ１０）、送信処理２が実行される。
【０１５０】
送信処理２においては、最初に、クイックメール情報の格納領域からクイックメールデータが読出される（Ｓ２０１）。ここで読出されるデータは、設定値データ領域１０１、送信アドレス領域１０２、位置情報領域１０４、および本文領域１０５のデータである。
【０１５１】
次に、読出された設定値データ領域１０１のデータが参照されて、到着時間を通知するオプション設定がＯＮに設定されているか否かが判断される（Ｓ２０２）。このオプション設定がＯＦＦのときには、第１実施の形態として説明した図１０のＳ１０４以降と同じ処理が実行される。ここでは、その説明を省略する。
【０１５２】
到着時間を通知するオプション設定がＯＮに設定されているときにはＳ２０１で読出された位置情報領域１０４内の位置情報が参照される（Ｓ２０３）。ここで参照される位置情報は、現在時点のユーザの地理的位置を示す情報である。
【０１５３】
たとえば、ユーザが図１７（Ｂ）の位置名称データベースに登録してある「会社（勤務先）」に居るときには、位置情報領域１０４内には、位置情報Ｂが格納されている。したがって、ユーザが「会社（勤務先）」でクイックメール機能を起動したときには、Ｓ２０３では、位置情報Ｂが参照されることになる。
【０１５４】
Ｓ２０３の後、位置名称データベースから、その位置情報に対応する位置名称データが検索される（Ｓ２０４）。そして、位置情報に対応する位置名称データが位置名称データベース内に存在するか否かが判断される（Ｓ２０５）。
【０１５５】
たとえば、Ｓ２０３で位置情報Ｂが参照されたときには、Ｓ２０４およびＳ２０５では、位置情報Ｂに対応する位置名称データとして、位置名称データベース内に「会社（勤務先）」が存在すると判断される。
【０１５６】
Ｓ２０５において、対応する位置名称データが存在すると判断されたときには、対応する位置名称データが位置名称領域１０６に格納される（Ｓ２０６）。たとえば、位置情報Ｂに対応する位置名称データとして、「会社（勤務先）」が位置名称領域１０６に格納される。続いて、Ｓ２０５で格納された位置名称データが格納されている位置名称データベースのメモリアドレスが、レジスタＳに格納される（Ｓ２０７）。たとえば、Ｓ２０５で格納された位置名称データが「会社（勤務先）」の場合には、レジスタＳに「２」が記憶される。レジスタＳは、メモリ３２内に設けられている。
【０１５７】
次に、Ｓ２０１で読出された送信アドレス領域１０２内の送信アドレスが参照されて、その送信アドレスが格納されている位置名称データベースのメモリアドレスがレジスタＥに格納される（Ｓ２０８）。たとえば、ユーザがクイックメールの送信先として、自宅のメールアドレスを予め登録しておいたときには、送信アドレス領域１０２内には、自宅のメールアドレスが格納されている。この場合、Ｓ２０８では、位置名称データベースのメモリアドレスのうち、自宅のメールアドレスの格納先を示すメモリアドレス「１」が、レジスタＥに格納されることになる。レジスタＥは、レジスタＳと同様にメモリ３２内に設けられている。
【０１５８】
次に、レジスタＳ、レジスタＥ、および到着時間管理テーブルから、到着時間が選択されて、その到着時間が到着時間領域１０７に格納される（Ｓ２０９）。たとえば、レジスタＳに「会社（勤務先）」に対応するメモリアドレス「２」が格納され、レジスタＥに「自宅」に対応するメモリアドレス「１」が格納されているときには、到着時間Ｔ１２が選択される。そして、選択された到着時間Ｔ１２が到着時間領域１０７に格納される。
【０１５９】
次に、位置名称領域１０６に格納されたデータが本文領域１０５の領域［Ｌ］に展開されるとともに、到着時間領域１０７に格納されたデータが本文領域１０５の領域［Ｔ］に展開される。たとえば、位置名称領域１０６に「会社（勤務先）」が格納され、到着時間領域１０７に「Ｔ１２」が格納されているときには、本文は「今、会社（勤務先）に居ます。あとＴ１２分で到着します。」というデータになる。
【０１６０】
次に、送信アドレス領域１０２のデータに基づいて、クイックメールの送信先である送信アドレスがセットされる（Ｓ２１５）。その後、セットされた送信アドレスへクイックメールが送信される（Ｓ２１６）。たとえば、送信アドレス領域１０２に、図１７（Ｂ）の「自宅」に対応するメールアドレスが格納されているときには、自宅へ向けて、「今、会社（勤務先）に居ます。あとＴ１２分で到着します。」という内容のクイックメールが送信されることになる。
【０１６１】
Ｓ２０５において、位置情報に対応する位置名称データが位置名称データベースに存在しないと判断された場合には、位置情報自体が位置名称領域１０６に格納される（Ｓ２１０）。たとえば、位置名称データベースに登録されていない地理的場所でユーザがサイドキー２１を操作した場合には、その地理的場所に対応する位置情報Ｘ（××県××市××町など）が位置名称領域１０６に格納される。
【０１６２】
次に、Ｓ２１０で格納された位置情報が、さらにレジスタＳにも格納される（Ｓ２１１）。続いて、Ｓ２０１で読出された送信アドレス領域１０２内の送信アドレスが参照されて、その送信アドレスが格納されている位置名称データベースのメモリアドレスがレジスタＥに格納される（Ｓ２１２）。たとえば、ユーザがクイックメールの送信先として、自宅のメールアドレスを予め登録しておいたときには、送信アドレス領域１０２内には、自宅のメールアドレスが格納されている。この場合、Ｓ２１２では、位置名称データベースのメモリアドレスのうち、自宅のメールアドレスの格納先を示すメモリアドレス「１」が、レジスタＥに格納されることになる。レジスタＥは、レジスタＳと同様にメモリ３２内に設けられている。
【０１６３】
次に、レジスタＳ、レジスタＥ、および到着時間管理テーブルから、到着時間が演算されて、その到着時間が到着時間領域１０７に格納される（Ｓ２１３）。
【０１６４】
たとえば、レジスタＥに「自宅」に対応するメモリアドレス「１」が格納されているときには、メモリアドレス「１」に対応する位置情報Ａが参照される。そして、この位置情報Ａと、レジスタＳに格納されている位置情報Ｘとに基づいて、到着時間が演算される。
【０１６５】
この演算は、たとえば、携帯電話１と通信することによって携帯電話１に各種のサービスを提供する情報提供サーバからの地理情報を受けて行なうことが考えられる。あるいは、情報提供サーバに対して位置情報Ａおよび位置情報Ｘを送信して、情報提供サーバにより到着時間を演算し、その演算結果を携帯電話１が受信するようにしてもよい。または、ユーザが直接、到着時間を入力するようにしてもよい。
【０１６６】
Ｓ２１３で到着時間が到着時間領域１０７に格納された後、既に説明したＳ２１４〜２１６の処理が実行されることにより、クイックメールが相手先へ送信され、送信処理２が終了する。
【０１６７】
以上、説明した第２実施の形態によれば、ユーザは、出発地および目的地を登録しておけば、サイドキー２１を長押し操作することのみで、目的地に対して到着時間を通知できる。また、上記の説明では、送信アドレス領域１０２に、図１７（Ｂ）の「自宅」に対応するメールアドレスが格納されている場合を例に挙げて説明した。しかしながら、送信アドレス領域１０２内のメールアドレスを変更することで、自宅以外の場所を出発地として、クイックメールを送信アドレス領域１０２内に格納しておけば、「自宅」から「会社（勤務先）」に出勤するときにサイドキー２１を長押し操作することにより、勤め先に対して、所要時間を通知することができる。
【０１６８】
次に、以上説明した第１および第２実施の形態の変形例を列挙する。
【０１６９】
（１）  サイドキー２１の長押し操作に割り当てることができる機能として、ボイスレコーダ機能と、クイックメール機能とを例示した。しかしながら、これらの機能に加えてあるいはこれらの機能のいずれかに代えて、防犯ベルとしての機能を割り当てることができるようにしてもよい。
【０１７０】
たとえば、防犯ベル機能が割り当てられている状態でサイドキー２１が長押し操作されたときには、制御部３０がスピーカ３から警報を発生させるとともにＬＥＤをフラッシュさせるようにすることが考えられる。さらに、制御部３０は、予め登録されている防犯会社へ非常事態を通知する電子メールを送信するようにしてもよい。
【０１７１】
（２）  クイックメール機能を起動させる操作手段は、サイドキー２１に限定されるものではなく、第１の筐体２または第２の筐体３のいずれかの箇所に設けたボタン（キー）であればよい。さらに、サイドキー２１に代えて、あるいはサイドキー２１に加えて、クイックメール機能を起動させるための専用のボタンを携帯電話１に設けてもよい。また、クイックメール機能を起動させる操作は長押し操作に限られるものではない。たとえば、クイックメール機能を起動させる操作手段に対する同じ操作が一定時間内で繰り返し所定回数検出されたときに、クイックメール機能を起動させてもよい。
【０１７２】
（３）  メール本文に付加する情報として、位置情報を例に挙げて説明した。しかしながら、付加する情報は位置情報に限られるものではなく、その他の有用な情報を付加することも考えられる。たとえば、携帯電話１に設けられたデジタルカメラで撮影された画像、携帯電話１の地理的位置に対応する天気予報や電話の局番情報などを例示できる。
【０１７３】
（４）  クイックメールのメール本文の入力方法は、ユーザが直接入力する方法に限られない。たとえば、携帯電話１の記憶手段（ＲＯＭ３８あるいはメモリ３１）内に、予め選択候補となる複数の本文を登録しておき、ユーザが所定操作をすることによってその中から選択できるようにしてもよい。あるいは、受信したメールまたは送信済みのメールをメールトレイ内から呼び出して、任意のメールの本文の全部または一部をコピーし、それをクイックメールの本文として用いることができるようにしてもよい。
【０１７４】
（５）  上記の各実施の形態では、クイックメールは、特殊メールのメール形式１で送信される。しかしながら、これに代えて、一般メールのメール形式２で送信するようにしてもよい。あるいは、ユーザがその形式を選択できるようにしてもよい。
【０１７５】
（６）  第２実施の形態においては、位置名称データベースによって、位置情報に関連付けて所定の付随情報が記憶される。ここで、付随情報は、たとえば、位置名称データである。しかしながら、付随情報は、位置名称データのようなテキストデータ（文字データ）に限られるものではなく、画像データであってもよい。たとえば、位置名称を文字で記憶するのではなく、位置名称に対応する地理的場所の写真画像を記憶するものでもよい。たとえば、ユーザが、携帯電話１のカメラ機能を用いて撮影した現地の画像を、その現地に対応する位置情報に関連付けて、データベース内に記憶するようにしてもよい。
【０１７６】
（７）  携帯電話１は、スイーベル機構を備える。しかしながら、クイックメール機能に関する発明においては、スイーベル機構は必須ではなく、スイーベル機構を備えない携帯電話にも適用可能である。また、携帯電話１には、表示部４に加えて、さらに第２の表示部を設けてもよい。たとえば、第１の筐体２の背面側にさらに第２の表示部を設けることが考えられる。この場合には、スイーベル機構を採用しなくてもよい。さらに、携帯電話１は、折り畳み可能な構成でなくてもよい。この場合には、携帯電話１が待ち受け状態であるときにサイドキー２１の操作が検出されれば、クイックメール機能を起動させればよい。
【０１７７】
（８）  上記各実施の形態では、位置情報を取得した時刻情報も本文に含めてクイックメールとして送信されるが、時刻情報については送信しないようにしてもよい。
【０１７８】
（９）  通信圏外であるためにクイックメールを送信できなかったときには、予約メールの格納領域にクイックメールを記憶させた。しかしながら、クイックメールそのものを格納領域に格納するのではなく、送信予約されていることを示すフラグデータを所定の格納領域に格納するようにしてもよい。この場合、通信圏外から通信圏内に移行したときに、フラグデータが格納されているか否かを判別し、格納されているときには、図１０（Ａ）のクイックメール情報から生成されるクイックメールを自動送信する。
【０１７９】
（１０）  各実施の形態に係る携帯電話１の機能は、各ハードウェアおよび制御部３０により実行されるソフトウェアによって実現される。このようなソフトウェアは、メモリカード等の着脱可能な情報記録媒体に格納して流通させてもよい。
【０１８０】
（１１）  携帯通信端末は、図１あるいは図２に示した携帯電話１に限られず、その他の端末であってもよい。すなわち、図１あるいは図２に示される携帯電話１は、ユーザが片手で把持することができる大きさあるいは形状を有するが、このような態様に限られず、必ずしも片手で把持ができない端末であってもよい。
【０１８１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１８２】
【図１】携帯電話１の筐体を開いた状態を示す図である。
【図２】携帯電話１の筐体の一部を回転させた状態を示す図である
【図３】携帯電話１の筐体を折り畳んだ状態を示す図である。
【図４】携帯電話１の構成を示すブロック図である。
【図５】クイックメールの設定操作を示す図である。
【図６】位置情報を付加する際の設定操作を示す図である。
【図７】クイックメールの送信動作を示す図である。
【図８】クイックメールの送信予約動作を示す図である。
【図９】バイブレータ３１の駆動パターンデータを示す図である。
【図１０】クイックメール情報の格納領域および予約メールの格納領域を説明するための概念図である。
【図１１】クイックメール送信処理を説明するためのフローチャートである。
【図１２】クイックメール送信処理を説明するためのフローチャートである。
【図１３】送信処理を説明するためのフローチャートである。
【図１４】予約メッセージ送信処理を説明するためのフローチャートである。
【図１５】位置情報設定処理を説明するためのフローチャートである。
【図１６】位置情報設定処理を説明するためのフローチャートである。
【図１７】クイックメール情報の格納領域、位置名称データベース、および到着時間管理テーブルの概念図である。
【図１８】送信処理２を説明するためのフローチャートである。
【符号の説明】
【０１８３】
１  携帯電話、２  第１の筐体、２Ａ  第１分割体、２Ｂ  第２分割体、３  第２の筐体、４  表示部、７  アンテナ、１０  メイン操作部、１３  ファンクションキー、１４  電源ボタン、１８  クリアボタン、  ２０  サブ操作部、２１  サイドキー、３０  制御部、３１  バイブレータ、３２  メモリ、３３  演算回路部、３７  開閉検出部、３８  ＲＯＭ。
【図１】
2006005863.tif 000003
【図２】
2006005863.tif 000004
【図３】
2006005863.tif 000005
【図４】
2006005863.tif 000006
【図５】
2006005863.tif 000007
【図６】
2006005863.tif 000008
【図７】
2006005863.tif 000009
【図８】
2006005863.tif 000010
【図９】
2006005863.tif 000011
【図１０】
2006005863.tif 000012
【図１１】
2006005863.tif 000013
【図１２】
2006005863.tif 000014
【図１３】
2006005863.tif 000015
【図１４】
2006005863.tif 000016
【図１５】
2006005863.tif 000017
【図１６】
2006005863.tif 000018
【図１７】
2006005863.tif 000019
【図１８】
2006005863.tif 000020